(57)【要約】【課題】比較的小さな雑音がある場合であっても、目的とする楽曲や音声など任意の音響を聴者が明瞭に聞くことができるようにする補助音響を出力可能な音響再生装置を提供する。【解決手段】一定の周波数を有する第１の音響と、この第１の音響よりも周波数の高い第２の音響を一定間隔で交互に切替ながら、いずれか一方の前記スピーカから前記第１の音響を出力している場合には、他方の前記スピーカからは前記第２の音響を出力させると共に、前記第２の音響を出力させる際に、最初の一定期間は前記第１の音響よりも周波数の高い音響として出力させ、その後前記第１の音響よりも更に周波数の高い音響として出力させることとした。【選択図】図３
2008299302.tif 000002
【特許請求の範囲】
【請求項１】
左右のスピーカからそれぞれ所定の音響を出力させる音響再生装置であって、
一定の周波数を有する第１の音響と、この第１の音響よりも周波数の高い第２の音響を一定間隔で交互に切替ながら、いずれか一方の前記スピーカから前記第１の音響を出力している場合には、他方の前記スピーカからは前記第２の音響を出力させると共に、
前記第２の音響を出力させる際に、最初の一定期間は前記第１の音響よりも周波数の高い音響として出力させ、その後前記第１の音響よりも更に周波数の高い音響として出力させる音響再生装置。
【請求項２】
第１の音響よりも低い周波数を有し、デューティー比が０より大きく０．５以下のパルス波形を有する第３の音響を、第１の音響と第２の音響に重複させて出力させることを特徴とする請求項１に記載の音響再生装置。
【請求項３】
前記第３の音響を、前記第１の音響及び前記第２の音響よりも１５〜３０ｄＢだけ小さく出力させるとともに、
任意の楽曲及び／または効果音よりなる第４の音響を、前記第１の音響及び第２の音響よりも１５〜４０ｄＢだけ大きい状態で第１及び第２の音響に重複させて出力させ、または、第３の各音響に重複させて出力させることを特徴とする請求項１または請求項２に記載の音響再生装置。
【発明の詳細な説明】
【技術分野】
【０００１】  本発明は、音響再生装置に関し、より詳細には、楽曲や音声を、聴者に対してより明瞭に聞かせることのできる補助音響を出力する音響再生装置に関する。
【背景技術】
【０００２】  従来、小学校や中学校などの教育施設には、比較的大人数が収容できる音楽室が設けられており、児童や生徒などが聴者となって、歌声を聴いたり、音楽を聴いたりする場合がある。【０００３】  このような場所では、壁や天井の吸音特性や残響時間特性が最適となる形状とし、音楽室のいずれの位置にいる聴者にも歌声や音楽が良く届くようにしている（例えば、特許文献１参照。）。
【特許文献１】特開２００６−１３８０７８号公報
【発明の開示】
【発明が解決しようとする課題】
【０００４】  しかしながら、比較的大人数が収容できる音楽室では、比較的小さい音ではあるものの、聴者の話し声や手荷物を探る音などの耳障りな雑音が多く、楽曲や音声を明瞭に聞くことができない場合があった。【０００５】  また、音響増幅機器類により楽曲や音声が増幅された音響となってスピーカ等より出力される場合であっても、聴者は周囲の雑音が気になり明瞭に聞くことができない場合があった。【０００６】  本発明は、斯かる事情に鑑みてなされたものであって、比較的小さな雑音がある場合であっても、目的とする楽曲や音声など任意の音響（以下、目的音という。）を聴者が明瞭に聞くことができるようにする補助音響を出力可能な音響再生装置を提供する。
【課題を解決するための手段】
【０００７】  上記課題を解決するために、本発明に係る音響再生装置では、左右のスピーカからそれぞれ所定の音響を出力させる音響再生装置であって、一定の周波数を有する第１の音響と、この第１の音響よりも周波数の高い第２の音響を一定間隔で交互に切替ながら、いずれか一方の前記スピーカから前記第１の音響を出力している場合には、他方の前記スピーカからは前記第２の音響を出力させると共に、前記第２の音響を出力させる際に、最初の一定期間は前記第１の音響よりも周波数の高い音響として出力させ、その後前記第１の音響よりも更に周波数の高い音響として出力させることとした。【０００８】  また、本発明に係る音響再生装置には、以下の点にも特徴を有する。
（１）第１の音響よりも低い周波数を有し、デューティー比が０より大きく０．５以下のパルス波形を有する第３の音響を、第１の音響と第２の音響に重複させて出力させること。
（２）前記第３の音響を、前記第１の音響及び前記第２の音響よりも１５〜３０ｄＢだけ小さく出力させるとともに、任意の楽曲及び／または効果音よりなる第４の音響を、前記第１の音響及び第２の音響よりも１５〜４０ｄＢだけ大きい状態で第１及び第２の音響に重複させて出力させ、または、第３の各音響に重複させて出力させること。
【発明の効果】
【０００９】  請求項１に記載の音響再生装置では、一定の周波数を有する第１の音響と、この第１の音響よりも周波数の高い第２の音響を一定間隔で交互に切替ながら、いずれか一方の前記スピーカから前記第１の音響を出力している場合には、他方の前記スピーカからは前記第２の音響を出力させると共に、前記第２の音響を出力させる際に、最初の一定期間は前記第１の音響よりも周波数の高い音響として出力させ、その後前記第１の音響よりも更に周波数の高い音響として出力させることとしたため、聴者が、第１の音響及び第２の音響よりなる補助音響を聞きながら、目的音を聞くこととなり、比較的小さな雑音を気にすることなく、明瞭に目的音を聞くことができる。【００１０】  また、請求項２に記載の音響再生装置では、２０〜２５Ｈｚの周波数を有し、デューティー比が０より大きく０．５以下のパルス波形を有する第３の音響を出力させることとしたため、一旦気にならなくなった雑音が、再び気になり出すことを防止することができ、長時間に亘って比較的小さな雑音を気にすることなく、明瞭に目的音を聞くことができる。【００１１】  また、請求項３に記載の音響再生装置では、前記第３の音響を、前記第１の音響及び前記第２の音響よりも１５〜３０ｄＢだけ小さく出力させるとともに、任意の楽曲及び／または効果音よりなる第４の音響を、前記第１の音響及び第２の音響よりも１５〜４０ｄＢだけ大きく出力させることとしたため、第１〜第３の音響と併せて、目的音である第４の音響を聴者が聞き取りやすい音圧で出力することができ、さらに雑音を気にすることなく、目的音を聞くことができる。
【発明を実施するための最良の形態】
【００１２】  本発明は、左右のスピーカからそれぞれ所定の音響を出力させる音響再生装置であって、一定の周波数を有する第１の音響と、この第１の音響よりも周波数の高い第２の音響を一定間隔で交互に切替ながら、いずれか一方の前記スピーカから前記第１の音響を出力している場合には、他方の前記スピーカからは前記第２の音響を出力させると共に、前記第２の音響を出力させる際に、最初の一定期間は前記第１の音響よりも周波数の高い音響として出力させ、その後前記第１の音響よりも更に周波数の高い音響として出力させる音響再生装置を提供するものである。【００１３】  具体的には、左右のスピーカからそれぞれ所定の音響を出力させる音響再生装置であって、７５〜１２８Ｈｚの周波数を有する第１の音響と、この第１の音響よりも４〜１３Ｈｚだけ周波数の高い第２の音響を０．５〜５秒間隔で交互に切替ながら、いずれか一方の前記スピーカから前記第１の音響を出力している場合には、他方の前記スピーカからは前記第２の音響を出力させると共に、前記第２の音響を出力させる際に、最初の４５〜９０秒間は前記第１の音響よりも４〜７Ｈｚだけ周波数の高い音響として出力させ、その後前記第１の音響よりも８〜１３Ｈｚだけ周波数の高い音響として出力させる音響再生装置を提供するものである。【００１４】  すなわち、聴者が目的音を聞いている状態において、聴者の周囲に多少の雑音がある場合でも、雑音を気にすることなく目的音が明瞭に聞こえることとなる補助音響を出力することのできる音響再生装置を提供する。付言すると、本発明に係る音響再生装置は、補助音響を出力することにより、いわゆるノイズキャンセラの如く機能するものである。【００１５】  ここで音響とは、ヒトが聞くことのできる約２０〜２００００Ｈｚの範囲の周波数を有する音や音の響きのことをいい、単一の周波数振動によるものや、周波数の変わる音声や音楽、さざ波や雑踏の音、ノイズ等も含む概念である。【００１６】  また、スピーカとは、音響データの記録媒体に記録された音響データから生成される音響信号を、空気振動に変換して音響として出力可能な機器全般をいい、本明細書では、ダイナミックスピーカ、ヘッドホン、イヤホン等を含む。【００１７】  また、音響データとは、音響信号生成手段にて音響信号が形成され、スピーカより第１〜第４の音響として出力可能なデータのことをいい、アナログデータ、デジタルデータ、ＭＩＤＩデータ（標準ＭＩＤＩファイル）、ＭＰ３データ等、そのデータの変換形式は特に限定されるものではない。また、データの暗号化の有無やデータの圧縮／非圧縮はいずれでもよく、併せて、圧縮形式についても限定されるものではない。【００１８】  また、記録媒体とは、音響データを記録可能な媒体のことをいい、音響データを電気的、磁気的、光学的、機械的、または化学的作用によって蓄積し、同音響データを再生装置が読み取ることのできるものをいう。このような記録媒体のうち、後述するリラクゼーション支援装置から取り外し可能なものとしては、例えばフロッピー（登録商標）ディスク、光磁気ディスク、ＣＤ−ＲＯＭ、ＣＤ−Ｒ／Ｗ、ＤＶＤ、ＤＡＴ、８ｍｍテープ、メモリカード等がある。【００１９】  また、コン��ュータに固定された記録媒体としてハードディスクやＲＯＭ（リードオンリーメモリ）やＲＡＭ（ランダムアクセスメモリ）等がある。【００２０】  さらにここでは、音響データをネットワークを経由してダウンロードさせるサーバ等についても包含する概念である。【００２１】  第１の音響は、左右スピーカのいずれか一方より出力される音響であり、例えば、７５〜１２８Ｈｚの周波数とすることができる。【００２２】  ここで、第１の音響の周波数が、７５Ｈｚを下回ると、目的音が例えば楽曲であった場合、楽曲のベース音と干渉するため好ましくない。【００２３】  また、第１の音響の周波数が、１２８Ｈｚを上回ると、聴者が第１の音響を聞いた際に違和感を覚え、目的音から意識が逸れるおそれがあり、また、目的音が人の声を含むものであった場合、男性等の低い声に干渉するおそれがあるため好ましくない。【００２４】  第１の音響を、７５〜１２８Ｈｚの範囲内、さらに好ましくは、１００〜１１０Ｈｚの範囲内とすることにより、聴者に違和感を覚えさせることがなく、男性等の低い声に干渉することのない第１の音響とすることができる。【００２５】  特に、第１の音響を１００〜１１０Ｈｚとした場合には、聴者にとって最も違和感のない第１の音響とすることができるため更に好ましい。【００２６】  第２の音響は、左右スピーカのいずれか他方より出力される音響であり、第１の音響よりも４〜１３Ｈｚだけ高い周波数を有する。【００２７】  すなわち、第１の音響と、第２の音響との周波数差は、４〜１３Ｈｚとしている。【００２８】  補助音響は、少なくとも、第１の音響と第２の音響とを備えるものである。【００２９】  この第２の音響の周波数差は、４Ｈｚを下回ると第１の音響と協働することで、脳内でδ波と呼ばれる深い睡眠状態の際に現れるべき脳波が誘導されてしまい、聴者が目的音を聞くことを妨げるおそれがあるため好ましくない。【００３０】  また、第２の音響の周波数差が１３Ｈｚを上回ると、第１の音響と協働することで、脳内でβ波と呼ばれる覚醒状態の際に現れるべき脳波が誘導されてしまい、リラックスして目的音を聞くことができないおそれがあるため好ましくない。【００３１】  第２の音響の周波数を、第１の音響との周波数差が４〜１３Ｈｚとなるように高くすることで、脳をリラックスするのに適した状態とすることができると共に、雑音を気にすることなく集中して目的音を明瞭に聞くことができる。【００３２】  そして、本発明の特徴として、音響再生装置は、第１の音響と、第２の音響とを０．５〜５秒間隔で交互に切替ながら、いずれか一方の前記スピーカから前記第１の音響を出力している場合には、他方の前記スピーカからは前記第２の音響を出力させるようにしている。【００３３】  すなわち、第１の音響と、第２の音響とを、０．５〜５秒間隔、さらに好ましくは１〜２．５秒間隔で出力するスピーカの左右を切り替えるようにして補助音響を構成している。【００３４】  一般に、ヒトの脳は、自ずと左右のバランスをとるように機能する。それゆえ、例えば、右の耳に第１の音響を聴取させ、左の耳に第２の音響を聴取させた状態で長時間経過すると、脳内で左右の偏りが徐々に顕在化し、ストレスを感じるように���る。【００３５】  そこで、第１の音響と、第２の音響とを０．５〜５秒間隔、さらに好ましくは１〜２．５秒間隔で左右切り替えるようにすることで、この偏りを防止し、ストレスが生じるのを回避するようにしている。【００３６】  ここで、第１の音響と、第２の音響との左右切替タイミングが、０．５秒を下回ると、雑音の中で目的音を明瞭に聞くことができなくなるおそれがあり好ましくない。【００３７】  また、左右切替タイミングが、５秒を上回ると、脳内で左右の耳から聞こえる音響に対して偏りが生じるため、ストレスが生じるおそれがあり好ましくない。【００３８】  左右切替タイミングを、好ましくは１〜２．５秒の範囲内とすることにより、雑音の中で目的音を明瞭に聞くことができると共に、左右の耳から聞こえる音響に対しての偏りを防止してストレスが生じるのを回避することができる。【００３９】  すなわち、雑音を気にすることなく、集中して目的音を明瞭に聞くことのできる環境をさらに良好なものとすることができる。【００４０】  また、第１の音響及び第２の音響の波形は、特に限定されるものではなく、正弦波、矩形波、三角波などいずれであっても良いが、好ましくは正弦波とするのが良い。【００４１】  正弦波とすることにより、第１の音響及び第２の音響に滑らかさを生起することができ、聴者が第１の音響及び第２の音響を聴取した際に生じるストレスをさらに低減することができる。【００４２】  また、音響再生装置は、第２の音響を出力させる際に、最初の４５〜９０秒間は前記第１の音響よりも４〜７Ｈｚだけ周波数の高い音響として出力させ、その後前記第１の音響よりも８〜１３Ｈｚだけ周波数の高い音響として出力させるようにしても良い。【００４３】  すなわち、最初の４５〜９０秒間は、周波数差を４〜７Ｈｚに保ち、その後周波数差を８〜１３Ｈｚとすると良い。【００４４】  音響このように出力することで、まず雑音から意識を速やかに逸らせ、次いで、目的音が明瞭に聞こえる状態に移行させる。【００４５】  これにより、聴者は、比較的短時間で雑音を気にすることなく、集中して、目的音を明瞭に聞くことができる。【００４６】  ここで、周波数差が４〜７Ｈｚの状態が４５秒を下回ると、雑音から意識が逸れず、目的音が明瞭に聞こえないおそれがある。【００４７】  また、周波数差が４〜７Ｈｚの状態が９０秒を越えても、雑音から意識を逸らす更なる効果を望むことができず、むしろ、目的音を明瞭に聞くことのできる時間を浪費することとなるため好ましくない。【００４８】  周波数差が４〜７Ｈｚの状態は４５〜９０秒、より好ましくは５０〜７０秒とすることにより、速やかに雑音から意識を逸らせることができ、しかも、できるだけ早く目的音を明瞭に聞くことができる。【００４９】  また、音響再生装置からは、２０〜２５Ｈｚの周波数を有し、デューティー比が０より大きく０．５以下のパルス波形を有する第３の音響を出力させるように構成しても良い。【００５０】  前述のように、聴者は、聴者が第１の音響と、第２の音響とを同時に左右別個の耳から聞くことにより、速やかに雑音から意識を逸らせ、目的音を明瞭に聞くことができるが、時間の経過とともに慣れが生じて、再度雑音が気になり出す場��がある。【００５１】  これは、第１の音響及び第２の音響が一定の周波数からなることに起因すると考えられる。【００５２】  そこで、２０〜２５Ｈｚの周波数を有し、デューティー比が０より大きく０．５以下のパルス波形を有する第３の音響を出力することにより、脳に極僅かな負荷を与えて慣れを回避するようにし、目的音を長時間に亘って明瞭に聞くことができるようにしている。【００５３】  換言すると、補助音響を第１〜第３の音響で構成すると共に、第３の音響は、２０〜２８ミリ秒間出力される音響が１秒間に２０〜２５回繰り返されてなるものとしている。【００５４】  デューティー比が０となると、パルス波形とならないため好ましくない。【００５５】  また、デューティー比が０．５を上回ると、パルス波１サイクルあたりの音響の長さが長すぎて連続音に近い状態となり、聴者にとって耳障りになるおそれがあるため、好ましくない。【００５６】  なお、この第３の音響は、左右両方のスピーカから出力するように構成するのが望ましい。【００５７】  また、第３の音響を、前記第１の音響及び前記第２の音響よりも１５〜３０ｄＢだけ小さく出力させるとともに、任意の楽曲及び／または効果音よりなる第４の音響を、第１の音響及び第２の音響よりも１５〜４０ｄＢだけ大きく出力させるように構成しても良い。【００５８】  すなわち、目的音を第４の音響として、第１〜第３の音響（補助音響）と共に音響再生装置のスピーカより出力するようにしても良い。【００５９】  また、付言すると、各音響の音圧を、第３の音響＜第１の音響及び第２の音響＜第４の音響となるように、上述の音圧レベルの範囲で調整すると良い。【００６０】  このような構成とすることにより、聴者は目的音（第４の音響）をさらに明瞭に聞くことができる。【００６１】  ここで、まず、第３の音響の音圧は、第１の音響及び第２の音響の音圧よりも１５〜３０ｄＢだけ小さく出力させるのが好ましい。【００６２】  第３の音響の音圧と、第１及び第２の音響の音圧との差が、１５ｄＢよりも小さいと、第３の音響が顕著に目立つこととなり、好ましくない。【００６３】  また、第３の音響の音圧と、第１及び第２の音響の音圧との差が３０ｄＢよりも大きいと、第３の音響の効果が薄れ、一旦気にならなくなった雑音が再度気になり出すおそれがあり好ましくない。【００６４】  また、第４の音響の音圧は、第１の音響及び第２の音響の音圧よりも１５〜４０ｄＢだけ大きく出力すると良い。【００６５】  第４の音響の音圧と、第１及び第２の音響の音圧との差が、１５ｄＢよりも小さいと、第４の音響に比して第１及び第２の音響が目立つこととなり、聴者が意識を第４の音響に向け辛くなるため好ましくない。【００６６】  また、第４の音響の音圧と、第１及び第２の音響の音圧との差が、４０ｄＢよりも大きいと、聴者に対し第４の音響を明瞭に聞かせることが困難になるため好ましくない。【００６７】  すなわち、第３の音響の音圧は、第１の音響及び第２の音響の音圧よりも１５〜３０ｄＢだけ小さく出力し、しかも、第４の音響の音圧は、第１の音響及び第２の音響の音圧よりも１５〜４０ｄＢだけ大きく出力するという関係を保つことで、聴者は、雑音を気にすることなく、目的���（第４の音響）を更に明瞭に聞くことができる。【００６８】  以下、本実施形態に係る音響再生装置について、図面を参照しながら詳説する。【００６９】  図１は、音響再生装置Ｂの全体図である。音響再生装置Ｂは、左右スピーカ５，６と、再生装置本体７とで構成している。【００７０】  左右スピーカ５，６は、ダイナミック型のスピーカーであり、ボイスコイルに配設した振動板で空気を振動させて、ヒトの耳に聞こえる音を発生させる構造としている。【００７１】  また、左右スピーカ５，６には、それぞれ左音響信号伝達ケーブル８及び右音響信号伝達ケーブル９が備えられており、再生装置本体７より出力された音響信号を左右スピーカ５，６に伝達する役割を担っている。【００７２】  この左右音響信号伝達ケーブル８，９の再生装置本体側先端部には、音響信号出力オス端子１２が形成されており、この音響信号出力オス端子１２を再生装置本体７に接続することにより、音響信号を左右音響信号伝達ケーブル８，９を介して左右スピーカ５，６に伝達することができるようにしている。【００７３】  さらに、左右スピーカ５，６には、アンプ（図示せず）が内蔵されており、電源ケーブル１０のプラグ１１をコンセントに挿入することで、音響信号を増幅して音響を出力することができるようにしている。【００７４】  再生装置本体７は、左右スピーカ５，６を振動させる音響信号が所定の形式で変換された音響データを再生できるデジタルオーディオプレーヤであり、音響データを記録した記録媒体から音響信号を生成可能に構成している。【００７５】  具体的に説明すると、再生装置本体７は、略直方体の筐体を有しており、再生装置本体７の前面パネル１３にＴＦＴ液晶パネルよりなる液晶表示部４０を備えている。【００７６】  また、前面パネル１３には、５つのキー１４からなる操作部１５を形成しており、同操作部１５は、再生装置本体７に予め記憶させた複数の制御プログラムを選択したり、実行にあたっての指示を入力する入力手段として機能する。【００７７】  また、再生装置本体７の側面部には、外部入出力端子１６を備えている。この外部入出力端子１６は、再生装置本体７に周辺拡張機器類を接続するために設けられているものであり、例えば、充電ケーブルや、パソコン等と接続することができる。【００７８】  そして、これらの液晶表示部４０や各キー１４、外部入出力端子１６は、再生装置本体７の内部に配設した回路基板１７に接続されており、同回路基板１７に予め記憶させた処理プログラム等により機能するようにしている。【００７９】  また、再生装置本体７の上部１８には、前述の音響信号出力オス端子１２と嵌合可能な音響信号出力メス端子１９を備えている。【００８０】  音響信号出力メス端子１９からは、再生装置本体７で生成された音響信号が出力され、音響信号出力オス端子１２を介して左右スピーカ５，６に音響信号が伝達できるようにしている。【００８１】  次に、図３を用いて、再生装置本体７の内部に配設した回路基板１７について説明する。図３は、回路基板１７のブロック図である。【００８２】  回路基板１７は、再生装置本体７の制御手段として機能するＣＰＵ３０、読み出し専用メモリとしてのＲＯＭ３１、読み書き���能メモリとしてのＲＡＭ３２を備えている。【００８３】  ＣＰＵ３０には、ＲＯＭ３１、ＲＡＭ３２などが接続されており、ＲＯＭ３１に記憶されたプログラムに従って、各種の処理を実行する機能を有する。【００８４】  ＲＯＭ３１には、音響信号の生成に係るＣＰＵ３０の制御プログラムや、音響再生装置Ｂの使用者が行う再生装置本体７の操作を簡便化するためのインターフェースプログラム（いわゆるオペレーションシステム）などが記憶されている。【００８５】  ＲＡＭ３２は、ＣＰＶ３０の一時記憶領域として、前述のプログラム上で必要な種々のフラグや変数の値を記憶する機能を有する。【００８６】  また、回路基板１７には、音響データ記録用ＲＡＭ３３、外部入出力端子１６、キー入力用スイッチ３４、液晶表示部４０、コーデック回路部３５を備えている。これらの音響データ記録用ＲＡＭ３３、外部入出力端子１６、キー入力用スイッチ３４、液晶表示部４０、コーデック回路部３５は、それぞれＣＰＵ３０に接続されている。【００８７】  音響データ記録用ＲＡＭ３３は、音響データを記録した記録媒体として機能するものであり、前述の第１〜第４の音響を出力するための音響データが、所定の変換形式によって記憶されている。また、この音響データ記録用ＲＡＭ３３は、ＣＰＵ３０により音響データの読み出しを可能とすると共に、ＣＰＵ３０による音響データの書き込みも可能としている。【００８８】  すなわち、外部入出力端子１６や、コーデック回路部３５からＣＰＵ３０へ送られた音響データを、音響データ記録用ＲＡＭ３３に書き込むこともできる。【００８９】  外部入出力端子１６は、充電ケーブルや、パソコン等の周辺拡張機器類と、再生装置本体７とを接続するためのＵＳＢ（Ｕｎｉｖｅｒｓａｌ  Ｓｅｒｉａｌ  Ｂｕｓ）規格の端子であり、周辺拡張機器類と、再生装置本体７との間で、音響データや電源の供給を行うことができるようにしている。【００９０】  キー入力用スイッチ３４は、回路基板１７上に前面パネル１３に対向させて配設したスイッチであり、操作部１５に配設した各キー１４に対応する位置にそれぞれ配設している。【００９１】  キー入力用スイッチ３４は、各キー１４を押下している間にＯＮ動作するスイッチであり、ＣＰＵ３０は、ＯＮ動作をしたキー入力用スイッチ３４を検知することにより、いずれのキー１４が押されたかを判別できるようにしている。【００９２】  液晶表示部４０は、音響データ記録用ＲＡＭ３３に記憶されている音響データのタイトル表示や、音響データの再生状況など、前述のプログラム等の処理状態（処理結果）を使用者に対して表示するものである。【００９３】  コーデック回路部３５は、前述の音響データ記録用ＲＡＭ３３に所定の形式で記録された音響データを音響信号に変換する、音響信号生成手段の一部を成すものである。【００９４】  つまり、コーデック回路部３５とＣＰＵ３０とＲＯＭ３１とＲＡＭ３２とは、それぞれ協働することにより、音響データ記録用ＲＡＭ３３に記録した音響データより音響信号を形成する音響信号生成手段として機能する。【００９５】  コーデック回路部３５には、オーディオ回路部３６が接続されている。オーディオ回路部３６には音響信号出力メス端���１９が接続されており、コーデック回路部３５より送信された音響信号は、音響信号出力メス端子１９を介して音響信号出力オス端子１２へ伝達される。【００９６】  このようにして、本実施形態に係る音響再生装置Ｂでは、第１〜第４の音響を再生するようにしている。【００９７】  次に、音響再生装置Ｂの左右スピーカ５，６から出力される音響について、図３及び図４を用いて説明する。【００９８】  なお、本実施形態では、左右スピーカ５，６から出力する音響は、音響の出力を開始してから６０秒までは周波数差を６Ｈｚの状態とし、６０秒以降は周波数差を７Ｈｚの状態した。【００９９】  また、第１の音響と第２の音響とは、２秒間隔で交互に切替ながら、いずれか一方のスピーカから第１の音響を出力している場合には、スピーカからは前記第２の音響を出力させるようにした。【０１００】  第１の音響は１０７Ｈｚのサイン波であり、第２の音響は１１３Ｈｚのサイン波である。【０１０１】  そして、この第１及び第２の音響を、図３に示すように左右それぞれのスピーカより出力するのである。図３は、左右それぞれのスピーカより出力される音響の波形を示した説明図である。まず、図３の上段に、第１〜第４の音響を再生し始めてから２秒までの間の波形の一部を示す。縦軸は音圧で、横軸は時間（ｔ：単位は秒）である。【０１０２】  図３の上段にも示すように、本実施形態では、０＜ｔ＜２において、第１の音響を左スピーカ６より出力する一方、第２の音響を右スピーカ５から出力している。【０１０３】  併せて、左スピーカ６及び右スピーカ５からは、同時に第３の音響としてのパルス波（デューティー比：０．１）と第４の音響（目的音）としての比較的穏やかなクラシック音楽とを出力している。【０１０４】  この際、第１及び第２の音響の音圧と、第３の音響の音圧との関係は、第３の音響の音圧が、第１の音響及び第２の音響の音圧よりも１５〜３０ｄＢだけ小さくなるように出力している。【０１０５】  また、第１及び第２の音響の音圧と、第４の音響の音圧との関係は、第４の音響の音圧が、第１の音響及び第２の音響の音圧よりも１５〜４０ｄＢだけ大きくなるように出力している。【０１０６】  このような音圧の関係とすることにより、聴者にとって耳障りになることなく、しかも、聴者は周囲の雑音を気にせずに目的音である第４の音響を明瞭に聞くことができる。【０１０７】  次に、図３の中段に示すように、２≦ｔ＜４において、第１の音響を右スピーカ５より出力する一方、第２の音響を左スピーカ６から出力している。【０１０８】  この際も、前述の第１〜第４の音響の音圧の関係は保っているのは勿論である。【０１０９】  この際、第３の音響及び第４の音響は、出力するスピーカの左右を切り替えても良く、また、切り替えなくとも良い。【０１１０】  次に、図３の下段に示すように、４≦ｔ＜６において、前述の０＜ｔ＜２と同様に第１の音響を左スピーカ６より出力する一方、第２の音響を右スピーカ５から出力している。【０１１１】  このように第１の音響と第２の音響とを０．５〜５秒の範囲内の所定の間隔で出力するスピーカを切り替えることにより、脳内で左右の偏りが徐々に顕在化してストレスが生じるのを防ぐことができ��。【０１１２】  ところで、第４の音響が通常の楽曲である場合、比較的静かなメロディの箇所では、通常のメロディの箇所に比して音圧が低くなることがある。【０１１３】  通常のメロディの箇所では、聴者の意識が最も音圧の高い第４の音響に向いているので、第１〜第３の音響（以下、脳波誘導音ともいう。）は、実際は聞こえていても気付かない状態である。【０１１４】  しかしながら、第４の音響の音圧が低くなった際に、補助音響の音圧の調整を行わない場合、補助音響と第４の音響との音圧差が小さくなって、聴者が補助音響に気付いてしまうおそれがある。【０１１５】  聴者が補助音響に気付くと、第４の音響から意識が（注意が）逸れることとなり、第４の音響を明瞭に聞くことができない場合がある。【０１１６】  そこで、本実施形態では、第４の音響の音圧が低くなった場合にも、前述の音圧の関係を保つようにして、補助音響の音圧を低下させている。【０１１７】  すなわち、図４に示すように、第４の音響の音圧が時間と共に低下した場合にも、第１及び第２の音響の音圧と、第３の音響の音圧との関係は、第３の音響の音圧が、第１の音響及び第２の音響の音圧よりも１５〜３０ｄＢだけ小さくなるように出力しつつ、第１及び第２の音響の音圧と、第４の音響の音圧との関係は、第４の音響の音圧が、第１の音響及び第２の音響の音圧よりも１５〜４０ｄＢだけ大きくなるように出力している。【０１１８】  このように音圧を調整することで、聴者に補助音響を気付かせることなく、第４の音響に意識を向け、雑音を気にしないようにすることができる。【０１１９】  そして、スピーカからの音響の出力開始後６０秒を越えた時点から、第１の音響を１０５Ｈｚのサイン波、第２の音響を１１２Ｈｚのサイン波とし、第４の音響が明瞭に聞こえるようにしている。【０１２０】  すなわち、スピーカからの音響の出力開始後６０秒までは聴者が雑音を気にしなくなる状態に導き、６０秒を越えてから第４の音響が明瞭に聞こえるようにしている。【０１２１】  したがって、スピーカからの音響の出力開始直後から第１及び第２の音響の周波数差を７ヘルツとした場合に比して、雑音を気にすることなく、しかも、速やかに第４の音響が明瞭に聞こえるようにすることができる。【０１２２】  なお、６０秒以降の第１及び第２の音響の周波数差を７ヘルツとした状態においても、図３で示した如く、第１の音響と第２の音響は、出力する左右のスピーカを切り替えるようにしている。併せて、前述の音圧の関係もまた保つようにしている。【０１２３】  上述してきた如く第１〜第４の音響を構成することにより、長時間に亘り左右異なる周波数の音響を聞いても、脳内で偏りが顕在化することなく、しかも、雑音を気にすることなく、速やかに第４の音響が明瞭に聞こえるようにすることができる。【０１２４】  なお、第１〜第４の音響を所定の記録形式で記録して音響データ記録媒体を形成し、この記録された音響データを再生することのできる音響再生装置に前記音響データ記録媒体を供し、出力した音響を聴者に聞かせることで、聴者の脳内にα波やθ波を誘導させ、リラクゼーション効果を生起するようにしても良い。【０１２５】  最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。【０１２６】  本実施形態では、音響再生装置にダイナミックスピーカ型の左右スピーカ５，６を接続して第１〜第４の音響を出力したが、例えば、ステレオヘッドホンやステレオイヤホンとすることにより、第４の音響を更に明瞭に聴くことができると共に、聴者の脳内にα波やθ波を効果的に誘導させ、リラクゼーション効果を生起することができる。【０１２７】  また、本実施形態に係る音響再生装置を設置する場所は、音楽室に限られる者ではなく、視聴覚室や講堂、ホール、映画館、居室などあらゆる場所に設置することができ、また、設置せずに携帯できるようにしても良い。
【図面の簡単な説明】
【０１２８】
【図１】音響再生装置の全体図である。
【図２】音響再生装置に内蔵した回路基板のブロック図である。
【図３】左右それぞれのスピーカより出力される音響の波形を示した説明図である。
【図４】左右それぞれのスピーカより出力される音響の波形を示した説明図である。
【符号の説明】
【０１２９】  Ｂ  音響再生装置
５  右スピーカ
６  左スピーカ
７  再生装置本体
８  左音響信号伝達ケーブル
９  右音響信号伝達ケーブル
１２  音響信号出力オス端子
１７  回路基板
１９  音響信号出力メス端子
３０  ＣＰＵ
３１  ＲＯＭ
３２  ＲＡＭ
３３  音響データ記録用ＲＡＭ
３５  コーデック回路部
３６  オーディオ回路部
【図１】
2008299302.tif 000003
【図２】
2008299302.tif 000004
【図３】
2008299302.tif 000005
【図４】
2008299302.tif 000006